(57)【要約】【課題】加熱炉に設けられたレール部に対して溶着し難いようにする。【解決手段】加熱炉１００は、前後方向Ｘに延設されると共に、左右方向Ｙに間隔を置いて平行に配置されたレール部１０１を備え、レール部１０１は、セラミック製のテーブル部１０２を備え、熱処理用治具は、前後方向Ｘ及び左右方向Ｙに延設された複数の棒部１１，１２からなると共に、レール部１０１に載置される金属製の本体１と、棒部１１，１２に設けられる複数のセラミック製のチップ部２と、チップ部２を棒部１１，１２に取り付ける取付け部３と、を備え、チップ部２は、本体１がレール部１０１に載置されるときにテーブル部１０２に当接するように、複数の仮想線２ａの上に配置され、仮想線２ａは、レール部１０１の位置に対応するように、前後方向Ｘに延設されると共に、左右方向Ｙに間隔を置いて平行に配置される。【選択図】図１
2019157180.tif 000002
【特許請求の範囲】
【請求項１】
被処理物を熱処理用の加熱炉に搬入及び搬出するときに用いられる熱処理用治具であって、
前記加熱炉は、前後方向に延設されると共に、左右方向に間隔を置いて平行に配置された複数のレール部を備え、
前記レール部は、セラミック製のテーブル部を備え、
前記熱処理用治具は、
前記前後方向及び前記左右方向に延設された複数の棒部からなると共に、前記レール部に載置される金属製の本体と、
前記棒部に設けられる複数のセラミック製のチップ部と、
前記チップ部を前記棒部に取り付ける取付け部と、を備え、
前記チップ部は、前記本体が前記レール部に載置されるときに前記テーブル部に当接するように、複数の仮想線の上に配置され、
前記仮想線は、前記レール部の位置に対応するように、前記前後方向に延設されると共に、前記左右方向に間隔を置いて平行に配置される
ことを特徴とする熱処理用治具。
【請求項２】
前記取付け部は、前記チップ部を前記棒部に着脱可能に取り付ける
ことを特徴とする請求項１に記載の熱処理用治具。
【請求項３】
前記棒部は、複数の凹部を備え、
前記凹部は、内部に前記チップ部が配置される
ことを特徴とする請求項１又は２に記載の熱処理用治具。
【請求項４】
前記チップ部は、前記棒部の上下方向の両面側に設けられる
ことを特徴とする請求項１〜３のいずれかに記載の熱処理用治具。
【請求項５】
前記取付け部は、ボルト部を備え、
前記チップ部は、前記ボルト部を介して前記棒部に取り付けられる
ことを特徴とする請求項１〜４に記載の熱処理用治具。
【請求項６】
前記取付け部は、プレート部を備え、
前記チップ部は、前記ボルト部及び前記プレート部を介して前記棒部に取り付けられる
ことを特徴とする請求項５に記載の熱処理用治具。
【発明の詳細な説明】
【技術分野】
【０００１】
本発明は、被処理物を熱処理用の加熱炉に搬入及び搬出するために用いられる熱処理用治具に関する。
【背景技術】
【０００２】
熱処理用治具は、例えば、特許文献１に開示されている。熱処理用治具は、金属製であって、格子状に配置された複数の棒部からなる本体を備える。本体の上には、金網が設置される。金属部品等の被処理物は、設置された金網の上に載置され、熱処理用の加熱炉に対して搬入及び搬出される。被処理物は、例えば、工具、工作機、自動車等に使用される部品である。被処理物は、切削、鍛造等により機械加工された後、加熱炉によって、硬度、靱性等の機械的性質を改善するために、焼き入れ等の熱処理が施される。
【０００３】
加熱炉は、例えば、特許文献２に開示されている。加熱炉は、炉体の内部に、複数のレール部を備える。熱処理用治具は、加熱炉のレール部に載置されて、被処理物に熱処理が施される。レール部は、耐熱性に優れたセラミック製である。
【０００４】
加熱炉は、炉体の内部が約１２００度と非常に高温となるので、金属製の熱処理用治具が、加熱炉のレール部に溶着するという問題がある。そこで、熱処理用治具とレール部との接触部に溶着防止剤を塗布したり、熱処理用治具にアルミナ溶射を行ったりすることで、熱処理用治具とレール部とが溶着しないようにする。しかし、これら溶射等を行っても、線膨張率の関係で剥離が発生し、その効果が続かない問題がある。
【先行技術文献】
【特許文献】
【０００５】
【特許文献１】特開２００９−２４９６４９号公報
【特許文献２】特開２００７−９３１６０号公報
【発明の概要】
【発明が解決しようとする課題】
【０００６】
そこで、本発明が解決しようとする課題は、加熱炉に設けられたレール部に対して溶着し難いように構成された熱処理用治具を提供することにある。
【課題を解決するための手段】
【０００７】
本発明に係る熱処理用治具は、
被処理物を熱処理用の加熱炉に搬入及び搬出するときに用いられる熱処理用治具であって、
加熱炉は、前後方向に延設されると共に、左右方向に間隔を置いて平行に配置された複数のレール部を備え、
レール部は、セラミック製のテーブル部を備え、
熱処理用治具は、
前後方向及び左右方向に延設された複数の棒部からなると共に、レール部に載置される金属製の本体と、
棒部に設けられる複数のセラミック製のチップ部と、
チップ部を棒部に取り付ける取付け部と、を備え、
チップ部は、本体がレール部に載置されるときにテーブル部に当接するように、複数の仮想線の上に配置され、
仮想線は、レール部の位置に対応するように、前後方向に延設されると共に、左右方向に間隔を置いて平行に配置される。
【０００８】
好ましくは、
取付け部は、チップ部を棒部に着脱可能に取り付ける。
【０００９】
好ましくは、
棒部は、複数の凹部を備え、
凹部は、内部にチップ部が配置される。
【００１０】
好ましくは、
チップ部は、棒部の上下方向の両面側に設けられる。
【００１１】
好ましくは、
取付け部は、ボルト部を備え、
チップ部は、ボルト部を介して棒部に取り付けられる。
【００１２】
好ましくは、
取付け部は、プレート部を備え、
チップ部は、ボルト部及びプレート部を介して棒部に取り付けられる。
【発明の効果】
【００１３】
本発明に係る熱処理用治具は、加熱炉に設けられたレール部に対して溶着し難いように構成されている。
【図面の簡単な説明】
【００１４】
【図１】熱処理用治具を示し、（Ａ）は平面図、（Ｂ）は（Ａ）の矢印Ｂから見た側面図、（Ｃ）は（Ａ）の矢印Ｃから見た側面図。
【図２】熱処理用治具が加熱炉に搬入される前の状態を示す平面図。
【図３】熱処理用治具が加熱炉に搬入された後の状態を示す側面図。
【図４】第１実施形態の熱処理用治具の一部を示し、（Ａ）は図１（Ａ）のＡ部分の拡大平面図、（Ｂ）は（Ａ）の矢印Ｂから見た側面図、（Ｃ）は（Ａ）のＣ−Ｃ断面図。
【図５】第２実施形態の熱処理用治具の一部を示し、（Ａ）は図１（Ａ）のＡ部分の拡大平面図、（Ｂ）は（Ａ）の矢印Ｂから見た側面図、（Ｃ）は（Ａ）のＣ−Ｃ断面図。
【図６】第３実施形態の熱処理用治具の一部を示し、（Ａ）は図１（Ａ）のＡ部分の拡大平面図、（Ｂ）は（Ａ）の矢印Ｂから見た側面図、（Ｃ）は（Ａ）のＣ−Ｃ断面図。
【発明を実施するための形態】
【００１５】
以下、図面に基づいて、本発明に係る熱処理用治具の実施形態を説明する。前後方向Ｘ、左右方向Ｙ及び上下方向Ｚは、互いに略直交する。
【００１６】
［全体構成］
図１の通り、熱処理用治具は、金属製の本体１を備える。本体１は、左右方向Ｙに延設された第１棒部１１と、前後方向Ｘに延設された第２膨部１２と、を備える。第１棒部１１及び第２膨部１２は金属製である。例えば、金網（不図示）が本体１の上面に設置されて、被処理物（不図示）が金網に載置される。被処理物は、例えば、工具、工作機、自動車等に使用される部品である。
【００１７】
図２の通り、本体１は、被処理物が載置された状態で、加熱炉１００の炉体内に搬入されて熱処理される。加熱炉１００は、４本のレール部１０１を備える。レール部１０１は、前後方向Ｘに延設されると共に、左右方向Ｙに間隔を置いて平行に配置される。本体１は、レール部１０１に載置される。レール部１０１は、耐熱性に優れたセラミック製のテーブル部１０２を備える。テーブル部１０２は、レール部１０１の上面、かつ、前後方向Ｘに所定間隔を置いて配置される。
【００１８】
図１の通り、熱処理用治具は、第１棒部１１に設けられる複数のセラミック製のチップ部２を備える。チップ部２は、取付け部３を介して第１棒部１１に取り付けられる。チップ部２は、本体１の少なくとも下面側に設けられる。
【００１９】
図３の通り、本体１が加熱炉１００のレール部１０１に載置されるときに、チップ部２がテーブル部１０２に当接する。図１及び図３の通り、チップ部２は、４本の仮想線２ａの上に配置される。仮想線２ａは、レール部１０１の位置に対応するように、前後方向Ｘに延設されると共に、左右方向Ｙに間隔を置いて平行に配置される。
【００２０】
［第１実施形態］
第１実施形態の熱処理用治具を説明する。
【００２１】
図４の通り、第１棒部１１は、第１面１１ａ側に設けられた凹部１１０と、第２面１１ｂ側に設けられた凹部１１１と、を備える。凹部１１０，１１１は、仮想線２ａに沿って設けられる。第１面１１ａ及び第２面１１ｂは、上下方向Ｚに対向している。第１面１１ａ及び第２面１１ｂは、上側及び下側のいずれに配置されてもよい。
【００２２】
取付け部３は、ボルト部３０及びプレート部３１を備える。プレート部３１は、Ｕ字状に構成される。チップ部２は、ボルト部３０が貫通する孔部２０を備える。プレート部３１は、ボルト部３０が貫通すると共に、互いに対向して配置された孔部３１０を備える。
【００２３】
第１面１１ａが下側に配置されるとき、チップ部２は、第１面１１ａ側の凹部１１０内に配置される。プレート部３１は、その開口部３１１内に、第１棒状部１１が配置される。さらに、チップ部２が、プレート部３１の開口部３１１内に配置される。チップ部２の孔部２０とプレート部３１の孔部３１０とが一列に配置されて、ボルト部３０が孔部２０，３１０に貫通する。
【００２４】
ボルト部３０が孔部２０，３１０に貫通した後、ナット部３２がボルト部３０に螺合される。それによって、チップ部２が、第１棒部１１に着脱可能に取り付けられる。チップ部２が第１棒部１１に取り付けられるとき、チップ部２は、第１棒部１１の第１面１１ａから若干突出する。そのため、本体１がレール部１０１に載置されるとき、棒部１１ではなくチップ部２がテーブル部１０２に当接される。
【００２５】
なお、第２面１１ｂが下に配置されるとき、チップ部２は、第２面１１ｂ側の凹部１１１内に配置される。その場合、チップ部２がテーブル部１０２に当接される。
【００２６】
［第２実施形態］
第２実施形態の熱処理用治具を説明する。
【００２７】
図５の通り、第１棒部１１は、第１面１１ａ側に設けられた凹部１１０と、第２面１１ｂ側に設けられた凹部１１１と、を備える。凹部１１０，１１１は、仮想線２ａに沿って設けられる。第１面１１ａ及び第２面１１ｂは、上側及び下側のいずれに配置されてもよい。
【００２８】
取付け部３は、ボルト部３０及びプレート部３１を備える。プレート部３１は、平面状であって、２枚を一組に構成される。チップ部２は、ボルト部３０が貫通する孔部２０を備える。プレート部３１は、ボルト部３０が貫通すると共に、互いに対向する孔部３１０を備える。
【００２９】
チップ部２は、凹部１１０及び１１１内に配置される。２枚のプレート部３１は、チップ部２を挟むように、第１棒部１１の両側に配置される。チップ部２の孔部２０とプレート部３１の孔部３１０とが一列に配置されて、ボルト部３０が孔部２０，３１０に貫通する。
【００３０】
ボルト部３０が孔部２０，３１０に貫通した後、ナット部３２がボルト部３０に螺合される。それによって、チップ部２が、第１棒部１１に着脱可能に取り付けられる。チップ部２が第１棒部１１に取り付けられるとき、チップ部２は、第１棒部１１の第１面１１ａ及び第２面１１ｂから若干突出する。そのため、本体１がレール部１０１に載置されるとき、棒部１１ではなくチップ部２がテーブル部１０２に当接される。
【００３１】
［第３実施形態］
第３実施形態の熱処理用治具を説明する。
【００３２】
図６の通り、第１棒部１１は、第１面１１ａ側に設けられた凹部１１０と、第２面１１ｂ側に設けられた凹部１１１と、を備える。凹部１１０，１１１は、仮想線２ａに沿って設けられる。第１面１１ａ及び第２面１１ｂは、上側及び下側のいずれに配置されてもよい。
【００３３】
取付け部３は、ボルト部３０を備える。チップ部２は、ボルト部３０が貫通する孔部２０を備える。第１棒部１１は、凹部１１０，１１１の両側に配置される側壁部１１２を備える。側壁部１１２は、ボルト部３０が貫通すると共に、互いに対向する孔部１１３を備える。
【００３４】
チップ部２は、凹部１１０及び１１１内に配置される。そして、チップ部２は、２つの側壁部１１２に挟まれる。チップ部２の孔部２０と側壁部１１２の孔部１１３とが一列に配置されて、ボルト部３０が孔部２０，１１３に貫通する。
【００３５】
ボルト部３０が孔部２０，１１３に貫通した後、ナット部３２がボルト部３０に螺合される。それによって、チップ部２が、第１棒部１１に着脱可能に取り付けられる。チップ部２が第１棒部１１に取り付けられるとき、チップ部２は、第１棒部１１の第１面１１ａ及び第２面１１ｂから若干突出する。そのため、本体１がレール部１０１に載置されるとき、棒部１１ではなくチップ部２がテーブル部１０２に当接される。
【００３６】
以上、本発明の好ましい実施形態を説明したが、本発明の構成はこれらの実施形態に限定されない。例えば、以下のように変更することもできる。
【００３７】
複数の熱処理用治具が積み重ねられるとき、最下段の熱処理用治具は、加熱炉１００のレール部１０１に載置されるので、本発明の構成を備える。なお、被処理物は、全ての熱処理用治具に載置されなくてもよい。
【００３８】
第１実施形態の熱処理用治具は、１つの凹部１１０のみを備えていてもよい。その場合、チップ部２は１つの凹部１１０のみに取り付けられる。
【００３９】
チップ部２の孔部２０は、貫通していなくてもよい。孔部２０が貫通していない場合、ボルト部３０を螺合可能なボルト孔部２０が、チップ部２の両側に設けられてもよい。
【００４０】
取付け部３は、例えば、チップ部２に連結されたボルトを介して、第１棒部１１に取り付けられてもよい。取付け部３は、チップ部２を第１棒部１１に着脱しなくてもよい。チップ部２は、平板状に構成されて、接着剤等を介して第１棒部１１に取り付けられてもよい。チップ部２は、第２棒部１２に設けられてもよい。
【００４１】
本発明の効果について説明する。
【００４２】
本体１がレール部１０１に載置されるときに、チップ部２がテーブル部１０２に当接する。チップ部２及びテーブル部１０２は、耐熱性に優れるセラミック製であるので、熱処理用治具はレール部１０１に溶着し難いように構成されている。
【００４３】
熱処理用治具は、チップ部２を棒部１１，１２に着脱可能に取り付ける取付け部３を備える。これによって、チップ部２が破損したときに交換することができる。
【００４４】
棒部１１，１２は、複数の凹部１１０，１１１を備え、凹部１１０，１１１の内部に、チップ部２を配置できる。これによって、チップ部２が破損し難いように厚く構成できる。
【００４５】
チップ部２は、棒部１１，１２の両面側に設けられる。これによって、一方面側のチップ部２が破損したとき、本体１を上下方向に反転するだけで、他方面側のチップ部２を使用することができる。
【符号の説明】
【００４６】
１  本体
２  チップ部
２ａ  仮想線
１１  第１棒部
１２  第２棒部
１１ａ  第１面
１１ｂ  第２面
１１０，１１１  凹部
３  取付け部
３０  ボルト部
３１  プレート部
Ｘ  前後方向
Ｙ  左右方向
１００  加熱炉
１０１  レール部
１０２  テーブル部
【図１】
2019157180.tif 000003
【図２】
2019157180.tif 000004
【図３】
2019157180.tif 000005
【図４】
2019157180.tif 000006
【図５】
2019157180.tif 000007
【図６】
2019157180.tif 000008
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
被処理物を熱処理用の加熱炉に搬入及び搬出するときに用いられる熱処理用治具であって、
前記加熱炉は、前後方向に延設されると共に、左右方向に間隔を置いて平行に配置された複数のレール部を備え、
前記レール部は、セラミック製のテーブル部を備え、
前記熱処理用治具は、
前記前後方向及び前記左右方向に延設された複数の棒部からなると共に、前記レール部に載置される金属製の本体と、
前記棒部に設けられる複数のセラミック製のチップ部と、
前記チップ部を前記棒部に取り付ける取付け部と、を備え、
前記チップ部は、前記本体が前記レール部に載置されるときに前記テーブル部に当接するように、複数の仮想線の上に配置され、
前記仮想線は、前記レール部の位置に対応するように、前記前後方向に延設されると共に、前記左右方向に間隔を置いて平行に配置され、
前記取付け部は、前記チップ部を前記棒部に着脱可能に取り付ける
ことを特徴とする熱処理用治具。
【請求項２】
被処理物を熱処理用の加熱炉に搬入及び搬出するときに用いられる熱処理用治具であって、
前記加熱炉は、前後方向に延設されると共に、左右方向に間隔を置いて平行に配置された複数のレール部を備え、
前記レール部は、セラミック製のテーブル部を備え、
前記熱処理用治具は、
前記前後方向及び前記左右方向に延設された複数の棒部からなると共に、前記レール部に載置される金属製の本体と、
前記棒部に設けられる複数のセラミック製のチップ部と、
前記チップ部を前記棒部に取り付ける取付け部と、を備え、
前記チップ部は、前記本体が前記レール部に載置されるときに前記テーブル部に当接するように、複数の仮想線の上に配置され、
前記仮想線は、前記レール部の位置に対応するように、前記前後方向に延設されると共に、前記左右方向に間隔を置いて平行に配置され、
前記棒部は、複数の凹部を備え、
前記凹部は、内部に前記チップ部が配置される
ことを特徴とする熱処理用治具。
【請求項３】
被処理物を熱処理用の加熱炉に搬入及び搬出するときに用いられる熱処理用治具であって、
前記加熱炉は、前後方向に延設されると共に、左右方向に間隔を置いて平行に配置された複数のレール部を備え、
前記レール部は、セラミック製のテーブル部を備え、
前記熱処理用治具は、
前記前後方向及び前記左右方向に延設された複数の棒部からなると共に、前記レール部に載置される金属製の本体と、
前記棒部に設けられる複数のセラミック製のチップ部と、
前記チップ部を前記棒部に取り付ける取付け部と、を備え、
前記チップ部は、前記本体が前記レール部に載置されるときに前記テーブル部に当接するように、複数の仮想線の上に配置され、
前記仮想線は、前記レール部の位置に対応するように、前記前後方向に延設されると共に、前記左右方向に間隔を置いて平行に配置され、
前記チップ部は、前記棒部の上下方向の両面側に設けられる
ことを特徴とする熱処理用治具。
【請求項４】
被処理物を熱処理用の加熱炉に搬入及び搬出するときに用いられる熱処理用治具であって、
前記加熱炉は、前後方向に延設されると共に、左右方向に間隔を置いて平行に配置された複数のレール部を備え、
前記レール部は、セラミック製のテーブル部を備え、
前記熱処理用治具は、
前記前後方向及び前記左右方向に延設された複数の棒部からなると共に、前記レール部に載置される金属製の本体と、
前記棒部に設けられる複数のセラミック製のチップ部と、
前記チップ部を前記棒部に取り付ける取付け部と、を備え、
前記チップ部は、前記本体が前記レール部に載置されるときに前記テーブル部に当接するように、複数の仮想線の上に配置され、
前記仮想線は、前記レール部の位置に対応するように、前記前後方向に延設されると共に、前記左右方向に間隔を置いて平行に配置され、
前記取付け部は、ボルト部を備え、
前記チップ部は、前記ボルト部を介して前記棒部に取り付けられる
ことを特徴とする熱処理用治具。
【請求項５】
前記取付け部は、プレート部を備え、
前記チップ部は、前記ボルト部及び前記プレート部を介して前記棒部に取り付けられる
ことを特徴とする請求項４に記載の熱処理用治具。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
本発明に係る熱処理用治具は、
被処理物を熱処理用の加熱炉に搬入及び搬出するときに用いられる熱処理用治具であって、
加熱炉は、前後方向に延設されると共に、左右方向に間隔を置いて平行に配置された複数のレール部を備え、
レール部は、セラミック製のテーブル部を備え、
熱処理用治具は、
前後方向及び左右方向に延設された複数の棒部からなると共に、レール部に載置される金属製の本体と、
棒部に設けられる複数のセラミック製のチップ部と、
チップ部を棒部に取り付ける取付け部と、を備え、
チップ部は、本体がレール部に載置されるときにテーブル部に当接するように、複数の仮想線の上に配置され、
仮想線は、レール部の位置に対応するように、前後方向に延設されると共に、左右方向に間隔を置いて平行に配置され、
取付け部は、チップ部を棒部に着脱可能に取り付ける。
【手続補正４】
【補正対象書類名】明細書
【補正対象項目名】０００９
【補正方法】変更
【補正の内容】
【０００９】
また、本発明に係る熱処理用治具は、
被処理物を熱処理用の加熱炉に搬入及び搬出するときに用いられる熱処理用治具であって、
加熱炉は、前後方向に延設されると共に、左右方向に間隔を置いて平行に配置された複数のレール部を備え、
レール部は、セラミック製のテーブル部を備え、
熱処理用治具は、
前後方向及び左右方向に延設された複数の棒部からなると共に、レール部に載置される金属製の本体と、
棒部に設けられる複数のセラミック製のチップ部と、
チップ部を棒部に取り付ける取付け部と、を備え、
チップ部は、本体がレール部に載置されるときにテーブル部に当接するように、複数の仮想線の上に配置され、
仮想線は、レール部の位置に対応するように、前後方向に延設されると共に、左右方向に間隔を置いて平行に配置され、
棒部は、複数の凹部を備え、
凹部は、内部にチップ部が配置される。
【手続補正５】
【補正対象書類名】明細書
【補正対象項目名】００１０
【補正方法】変更
【補正の内容】
【００１０】
また、本発明に係る熱処理用治具は、
被処理物を熱処理用の加熱炉に搬入及び搬出するときに用いられる熱処理用治具であって、
加熱炉は、前後方向に延設されると共に、左右方向に間隔を置いて平行に配置された複数のレール部を備え、
レール部は、セラミック製のテーブル部を備え、
熱処理用治具は、
前後方向及び左右方向に延設された複数の棒部からなると共に、レール部に載置される金属製の本体と、
棒部に設けられる複数のセラミック製のチップ部と、
チップ部を棒部に取り付ける取付け部と、を備え、
チップ部は、本体がレール部に載置されるときにテーブル部に当接するように、複数の仮想線の上に配置され、
仮想線は、レール部の位置に対応するように、前後方向に延設されると共に、左右方向に間隔を置いて平行に配置され、
チップ部は、棒部の上下方向の両面側に設けられる。
【手続補正６】
【補正対象書類名】明細書
【補正対象項目名】００１１
【補正方法】変更
【補正の内容】
【００１１】
また、本発明に係る熱処理用治具は、
被処理物を熱処理用の加熱炉に搬入及び搬出するときに用いられる熱処理用治具であって、
加熱炉は、前後方向に延設されると共に、左右方向に間隔を置いて平行に配置された複数のレール部を備え、
レール部は、セラミック製のテーブル部を備え、
熱処理用治具は、
前後方向及び左右方向に延設された複数の棒部からなると共に、レール部に載置される金属製の本体と、
棒部に設けられる複数のセラミック製のチップ部と、
チップ部を棒部に取り付ける取付け部と、を備え、
チップ部は、本体がレール部に載置されるときにテーブル部に当接するように、複数の仮想線の上に配置され、
仮想線は、レール部の位置に対応するように、前後方向に延設されると共に、左右方向に間隔を置いて平行に配置され、
取付け部は、ボルト部を備え、
チップ部は、ボルト部を介して棒部に取り付けられる。